(57)【特許請求の範囲】
【請求項１】
メモ台を椅子の前方においてほぼ水平をなす使用位置と、椅子の側枠内に収納された収納位置とに移動可能として装着した椅子のメモ台装置において、
前記側枠の前面を開放し、該側枠の前面を介してメモ台を前記使用位置と前記収納位置との間で移動可能とするとともに、
椅子の側枠内に、少なくとも左右方向を向くほぼ水平の第１軸をもって約９０度の範囲で回動可能に枢着された第１回動体と、
前記第１回動体に第２軸をもって約９０度の範囲で回動可能に枢着された第２回動体と、
前記第２回動体の上部に、前記第２軸に対して直角方向を向く軸部材を介して枢着され、かつ先端側にメモ台が固着され、該メモ台を前記使用位置と起立位置との間で回動可能なメモ台支持体と、
一端が前記第１回動体の後端に枢着されるとともに、他端が側枠内に取り付けられ、前記メモ台を前記起立位置から前記収納位置に収納する場合に前記第１回動体に緩衝機能を発揮するガススプリングと、を備え、
前記ガススプリングが、メモ台収納時に、メモ台のほぼ真上に位置するように配置されていることを特徴とする椅子のメモ台装置。
【請求項２】
メモ台が、椅子の側枠内に収納された収納位置で保持されるように、前記第１回動体が前記ガススプリングにより使用方向と逆方向に弾性付勢されている請求項１に記載の椅子のメモ台装置。
【請求項３】
メモ台支持体は、前記メモ台の前記起立位置と前記収納位置との間の回動可能区間において、その両側が前記第１回動体に拘束されながら回動する請求項１又は２に記載の椅子のメモ台装置。
【発明の詳細な説明】
【０００１】
【発明の属する技術分野】
本発明は、椅子の側枠に取付けられるメモ台装置に関し、特にメモ台を収納するときの衝撃を緩和して、メモ台自体や各構成部品の損傷を防止するとともに、見栄えの良いコンパクトな椅子のメモ台装置に関する。
【０００２】
【従来の技術】
従来、この種の装置としては、実開平４−１１５４５６号公報等が提案されている。この装置は、脚部に上下方向に回動可能に取付けられたブラケットと、前記ブラケットに回動可能に取付けられたメモ台と、前記脚部と前記ブラケットとの間に取付けられブラケットを下方に回転させる場合に緩衝機能を発揮するダンパー機構とを備えた椅子のメモ台装置である。
【０００３】
【発明が解決しようとする課題】
しかしながら、前記公報の装置にあっては、収納時において、メモ台及びブラケットが脚部内に収納されず、脚部外側に保持されるようになっているために、見栄えが悪く、かつメモ台が着座者の邪魔になるという欠点があった。
【０００４】
本発明は上記のような問題点を解決するため、メモ台収納時の見栄えを良くし、かつメモ台を収納する時の衝撃を緩和してメモ台自体や各構成部品の損傷を防止できるメモ台装置を提供することを目的としている。
【０００５】
【課題を解決するための手段】
上記目的を達成するために、本発明の椅子のメモ台装置は、メモ台を椅子の前方においてほぼ水平をなす使用位置と、椅子の側枠内に収納された収納位置とに移動可能として装着した椅子のメモ台装置において、
前記側枠の前面を開放し、該側枠の前面を介してメモ台を前記使用位置と前記収納位置との間で移動可能とするとともに、
椅子の側枠内に、少なくとも左右方向を向くほぼ水平の第１軸をもって約９０度の範囲で回動可能に枢着された第１回動体と、
前記第１回動体に第２軸をもって約９０度の範囲で回動可能に枢着された第２回動体と、
前記第２回動体の上部に、前記第２軸に対して直角方向を向く軸部材を介して枢着され、かつ先端側にメモ台が固着され、該メモ台を前記使用位置と起立位置との間で回動可能なメモ台支持体と、
一端が前記第１回動体の後端に枢着されるとともに、他端が側枠内に取り付けられ、前記メモ台を前記起立位置から前記収納位置に収納する場合に前記第１回動体に緩衝機能を発揮するガススプリングと、を備え、
前記ガススプリングが、メモ台収納時に、メモ台のほぼ真上に位置するように配置されていることを特徴としている。
この特徴によれば、メモ台とガススプリングとが、メモ台収納時において互いに干渉し合うことなく、上下方向に並んだ状態で側枠内に収納されるようになっているので、側枠の幅を厚く形成することなく、メモ台やガススプリングを側枠内にコンパクトに設置することが出来るとともに、メモ台装置の収納時の見栄えが向上する。
【０００６】
本発明の椅子のメモ台装置は、メモ台が、椅子の側枠内に収納された収納位置で保持されるように、前記第１回動体が前記ガススプリングにより使用方向と逆方向に弾性付勢されていることが好ましい。
このようにすることで、メモ台が側枠内の収納位置で安定して保持されるため、メモ台が妄りに側枠外にはみだして着座者の邪魔になるといったことがなくなる。
【０００７】
本発明の椅子のメモ台装置は、メモ台支持体は、前記メモ台の前記起立位置と前記収納位置との間の回動可能区間において、その両側が前記第１回動体に拘束されながら回動することが好ましい。
このようにすることで、メモ台が収納時に左右に振れることなく、かつガススプリングによりがたつくことなく、確実に側枠内に案内されるようになるため、側枠等の損傷を回避できる。
【０００８】
【発明の実施の形態】
以下、本発明の実施の形態を図面に基づいて説明する。この実施例は、本発明を図１に示される３連式の連結椅子１に適用した例である。
【０００９】
図１において、２は脚体であり、その上に３個の単体椅子３が連結され載置されている。各単体椅子３は、それぞれ座４と背凭れ５を有し、かつ座の両側には側枠としての肘置部６が設けられている。
【００１０】
片方の肘置部６は複数の板材により前面が開放するように形成されており、この肘置部６内にはメモ台７を有するメモ台装置８が取付けられている。このメモ台７は、図１及び図３中２点鎖線で示されるように、単体椅子３の前方において略水平をなす使用位置、図１、２及び図３中実線で示される起立位置、そして図６中実線で示される肘置部６内の収納位置にそれぞれ移動可能になっている。
【００１１】
メモ台装置８の構造を図４に基づいて説明していくと、まず、９は２枚の側板９ａ、９ａと、その側板同士を連結する連結板９ｂとからなるメモ台装置８の取付部材であり、肘置部６を構成する両側板６ａ、６ａの間に固着される。１０は第１軸としての軸部材１１をもって取付部材９に回動可能に枢着される第１回動体であり、この第１回動体１０を構成する両側板１０ａ、１０ａの後方には、円弧状の細孔１２が形成されている。
【００１２】
１３は前記第１回動体１０のダンパー機構としてのガススプリングであり、シリンダー１４と該シリンダー１４内に摺動自在に嵌挿されたロッド１５とからなる。このガススプリング１３の内部構造は特に図示しないが、前記ガススプリング１３のロッド１５が常時伸張方向に所定の付勢力をもって付勢されるようになっている。
【００１３】
シリンダー１４の端部に形成された取付部１４ａを介して第１回動体１０の後端に回動可能に枢着され、かつロッド１５の端部が取付部材９の連結板９ｂに固着された断面略コ字状の取付板１６に対して回動可能に枢着されている。尚、１７はシリンダー１４の取付部１４ａと第１回動体１０の側板１０ａ内面との間に介在されるスペーサである。
【００１４】
１８は前記第１回動体１０の両側板１０ａ、１０ａ間に横架される第２軸としての軸部材１９をもって第１回動体に軸支された第２回動体である。この第２回動体１８の上部には、前記軸部材１９の軸心に対して直角方向を向く軸部材２０を介してメモ台７を固着するメモ台支持体２１が軸支されている。２２は、前記第２回動体１８と、第１回動体１０の両側板１０ａ、１０ａとの間に介在されるスペーサである。
【００１５】
２３は、略Ｓ字状に形成される２枚の板材２３ａ、２３ａで構成されるリンク部材である。このリンク部材２３の一端は、第２回動体の下端に軸支され、他端は軸部材２４を介して、取付部材９の先端上部に軸支される。また、前記軸部材２４はリンク部材２３及び第１回動体１０に形成された細孔１２内を挿通して取付部材９に横架される。
【００１６】
尚、２５は取付部材９を構成する両側板９ａ、９ａの内面に固着され、第１回動体１０の回動を収納位置にて規制するストッパ片である。
【００１７】
次にこのように構成された本発明の実施の形態として椅子のメモ台装置８の操作方法及び作用を図２、３及び図５、６に基づいて説明すると、メモ台７は、図３中２点鎖線で示されるような使用位置において、回動阻止手段を構成するスペーサ２２の上面２２ａとメモ台支持体２１とが互いに当接されることにより、略水平位置に保持されるとともに、第２回動体１８の軸部材１９を中心とした回動が規制されるようになっている。
【００１８】
この時、第１回動体１０と第２回動体１８との相対回転が不能となるため、第１回動体１０は軸部材１１と軸部材１９との２つの支持点をもって略水平な使用位置に支持されている。
【００１９】
次にメモ台７を略水平な使用状態から跳ね挙げ、図２、３中実線で示される起立位置に移動すると、スペーサ２２の上面２２ａとメモ台支持体２１とが離れることにより、第２回動体１８の回動規制が解除される。そしてメモ台７等の自重による回転力により、第２回動体１８が軸部材１９を中心に収納方向へ回動しようとする。
【００２０】
第２回動体１８が回転し始めると、図５に示されるように、リンク部材２３を介して第１回動体１０が連動して回転する。この時、第１回動体１０の回転はガススプリング１３によって適宜速度に抑制されるようになっているため、メモ台７が自重により急激に回転落下してしまうことはない。また、スペーサ２２が第２回動体１８と第１回動体１０の側板１０ａとの間に介在されているので、第２回動体１８及びメモ台７等が回転中に左右にぶれること等はない。
【００２１】
そして図６に示されるように、第１回動体１０及び第２回動体１８とがそれぞれ約９０度ずつ回転し、前記第１回動体１０の下辺所定箇所がストッパ片２５に当接された時点で、メモ台７は肘置部６内の収納位置に完全に収納されることになる。この状態において、第１回動体１０の回動軸心の上部が、常時伸長方向への付勢力を有するガススプリング１３により、時計と反対回りに回転付勢されているため、収納後、メモ台７が妄りに肘置部６外にはみ出ること等はない。さらにガススプリング１３はメモ台７の真上に位置しているため、メモ台とガススプリング１３は左右方向にスペースをとらないようになっている。
【００２２】
このように本実施の形態における椅子のメモ台装置にあっては、回動体と側枠との間に緩衝機能を発揮するダンパー機能が設けられたことで、メモ台収納時のメモ台下降速度が適正に制限され、メモ台を収納する時の衝撃が緩和されてメモ台自体や各構成部品の損傷が防止されるとともに、使用者の怪我等を防止できる
。
【００２３】
しかも前記メモ台とダンパー機構とが、メモ台収納時において互いに緩衝し合うことなく、上下に側枠内に収納されるようになっているので、メモ台装置を側枠の幅を厚く形成することなく、該側枠内にコンパクトに設けることが出来るとともに、メモ台装置の収納時の見栄えが向上する。
【００２４】
尚、本実施の形態におけるガススプリング１３にあっては、そのロッド１５には伸張方向に常に付勢力が働いているが、特にそのロッド１５の伸長方向への移動速度が変わるわけではないため、メモ台が急速度で収納されるわけではない。
【００２５】
また、略水平な使用位置にあるメモ台を起立位置まで跳ね挙げるという簡単な操作により、回動阻止手段が解除され、第１、第２回動体が連動して回動するので、着座者はメモ台を容易にかつ後方付勢手段を用いて短時間で収納することが出来る。よって万一の地震や建物の火災発生による緊急避難時に、メモ台が邪魔になること等がない。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
【発明の効果】
本発明は次の効果を奏する。
【００２８】
（ａ）請求項１の発明によれば、メモ台とガススプリングとが、メモ台収納時において互いに干渉し合うことなく、上下方向に並んだ状態で側枠内に収納されるようになっているので、側枠の幅を厚く形成することなく、メモ台やガススプリングを側枠内にコンパクトに設置することが出来るとともに、メモ台装置の収納時の見栄えが向上する。
【００２９】
（ｂ）請求項２の発明によれば、メモ台が側枠内の収納位置で安定して保持されるため、メモ台が妄りに側枠外にはみだして着座者の邪魔になるといったことがなくなる。
【００３０】
（ｃ）請求項３の発明によれば、メモ台が収納時に左右に振れることなく、かつガススプリングによりがたつくことなく、確実に側枠内に案内されるようになるため、側枠等の損傷を回避できる。
【００３１】
【図面の簡単な説明】
【図１】本発明のメモ台装置を設けた３連式椅子の正面図である。
【図２】図１の椅子の要部側面図である。
【図３】図２のＡ−Ａ断面図である。
【図４】メモ台装置の組立分解斜視図である。
【図５】図２に対応する作用を表わす側面図である。
【図６】図２に対応する作用を表わす側面図である。
【符号の説明】
１            連結椅子
２            脚体
３            単体椅子
４            座
５            背凭れ
６            肘置部（側枠）
６ａ          側板
７            メモ台
８            メモ台装置
９            取付部材
９ａ          側板
１０            第１回動体
１０ａ          側板
１１            軸部材（第１軸）
１２            細孔
１３            ガススプリング
１４            シリンダー
１４ａ          取付部
１５            ロッド
１６            取付板
１７            スペーサ
１８            第２回動体
１９            軸部材（第２軸）
２０            軸部材
２１            メモ台支持体（係合手段）
２２            スペーサ
２２ａ          上面（係合手段）
２３            リンク部材
２３ａ          板材
２４            軸部材
２５            ストッパ片
【図１】
0003913810.tif 000002
【図２】
0003913810.tif 000003
【図３】
0003913810.tif 000004
【図４】
0003913810.tif 000005
【図５】
0003913810.tif 000006
【図６】
0003913810.tif 000007